(57)【特許請求の範囲】
【請求項１】
電動送風機を有する掃除機本体と、前記電動送風機の吸引力が作用する吸引管と、吸引管に接続され長手方向が前後方向と直角になるように設けられた吸込口体を有する電気掃除機であって、前記吸込口体は、上部ケースと下部ケースとで形成されるケースと、その一端を前記ケースと接続して前記ケースの吸気上流側に設けられたアームと、前記アームの他端と一体に設けられたパイプと、前記アームと上部ケースの間に設けられ、カバー体に設けた開口部の内部を上下に回動する前方シャッターと、前記下部ケースに設けられ塵埃を吸引する吸込口と、前記吸込口の両端に設けられ前記下部ケースの長手方向に延びる塵埃通路と、長手方向に設けた第１、第２の回動軸と、前記塵埃通路の両端部近傍に設けられ前記第２の回動軸のまわりに回動する側方シャッターとを有し、前記ケースおよびパイプは前記吸込口側と前記吸引管側とを接続し前記第１の回動軸を中心に前記ケースに対して前後方向に傾動自在に取り付けられ、前記前方シャッターと側方シャッターは、前記パイプの傾動に応じて前記吸込口の開口部位を変更する開口部位変更機構を構成し、前記開口部位変更機構は、前記アームを掃除面へ近づく方向に傾動させた場合には、前記前方シャッターが前記吸込口の前方を開口し、前記パイプを前記ケースに対して立った状態になるように傾動させた場合には、前記側方シャッターが前記吸込口の側方を開口する電気掃除機。
【発明の詳細な説明】
【０００１】
【発明の属する技術分野】
本発明は、電動送風機の吸引力が作用する吸引管に接続される吸込口体を有する電気掃除機に関するものである。
【０００２】
【従来の技術】
近年、家具間等の狭い隙間のごみや部屋の壁際のごみを吸込口体を付け替えることなく掃除中に簡単な操作で掃除することができる電気掃除機が要望されている。従来、この要望に応えるために、図１４〜図１６に示すように構成していた。以下、その構成について説明する。
【０００３】
図に示すように、吸込口体３５は上部ケース３６と下部ケース３７とで形成しており、内部に吸込通路３８を有し、吸込通路３８の掃除面方向には下部ケース３７に吸込口３９を配している。吸込口体３５の後部には上部ケース３６と下部ケース３７によって上下に回動自在にアーム４０を挟持している。
【０００４】
パイプ４１は吸引管４２との接続方向とアーム４０との取付方向が９０度に曲げられた形状をし、アーム４０の下部に垂直方向にかつ１８０度回動自在に取り付けている。そして、パイプ４１に吸引管４２を接続し、吸引管４２の他端に手元操作部４３を接続し、手元操作部４３の後方にホース４４を接続し、ホース４４の他端に電気掃除機本体４５を接続している。
【０００５】
上記構成により、手元操作部４３を握る人の前後に歩く姿勢の方向に対して吸込口体３５の長手方向が垂直であったものが、手元操作部４３を左右にひねることで吸込口体３５が左右方向に略９０度旋回し、吸込口体３５の長手方向と前後に歩く姿勢の方向が同方向となり、部屋の壁際のごみを容易に吸い取ることができる。また、吸込口体３５の長手幅の邪魔がなくなるため、家具間等の狭い隙間のごみも吸込口体３５を付け替えることなく簡単なひねり操作で掃除することができる。
【０００６】
【発明が解決しようとする課題】
このような従来の電気掃除機では、棚の下等の低い隙間や家具間等の狭い隙間の掃除作業というものは通常の掃除作業に比べ作業者にとっては無理な態勢で掃除することになるわけであり、このときの吸込口体３５を前後に操作する操作力のさらなる軽減が望まれていた。また、上記隙間に比較的大きなごみがあった場合には、吸込口体３５を掃除面から持ち上げる必要があったが、棚の下等の高さに制限がある場所では吸込口体３５を持ち上げることは困難であり、家具間等においても奥の方では作業者が非力な女性であれば吸込口体３５を持ち上げることは困難であった。
【０００７】
本発明は上記従来の課題を解決するもので、棚の下等の低い隙間、家具間等の狭い隙間などを掃除する場合に、塵埃通路内に外気を導入することで、ケースと掃除面の吸着を低減し、操作力を軽減して使用性を向上することを第１の目的としている。
【０００８】
また、棚の下等の低い隙間のごみや家具間等の狭い隙間のごみを吸込口体を付け替えることなく掃除中に簡単な操作で掃除できるようにするとともに、操作力を軽減して使用性を向上し、さらに集塵性を向上して掃除作業性を向上することを第２の目的としている。
【０００９】
【課題を解決するための手段】
本発明は上記の目的を達成するために、掃除機本体に内蔵した電動送風機の吸引力が作用する吸引管に吸込口体を接続した電気掃除機であって、吸込口体は、塵埃を吸引する吸込口を有し、かつ吸込口に連通する塵埃通路を有するケースに、塵埃通路と吸引管側とを接続するパイプを傾動自在に取り付け、パイプの傾動に応じて開口部位変更機構により塵埃通路内に外気を導入する吸込口の開口部位を変更するよう構成し、開口部位変更機構は、パイプを掃除面へ近づく方向に傾動させた場合に、前記吸込口の前方を開口し、前記パイプを前記ケースに対して立った状態になるように傾動させた場合には、前記吸込口の側方を開口するものである。
【００１０】
これにより、棚の下等の低い隙間、家具間等の狭い隙間などを掃除する場合に、開口部位変更機構により塵埃通路内に外気を導入することで、吸込口体を付け替えることなく掃除中に簡単な操作で掃除することができるとともに、ケースと掃除面の吸着を低減することができ、操作力を軽減できて使用性を向上することができる。
【００１１】
【発明の実施の形態】
本発明の請求項１に記載の発明は、電動送風機を有する掃除機本体と、前記電動送風機の吸引力が作用する吸引管と、吸引管に接続され長手方向が前後方向と直角になるように設けられた吸込口体を有する電気掃除機であって、前記吸込口体は、上部ケースと下部ケースとで形成されるケースと、その一端を前記ケースと接続して前記ケースの吸気上流側に設けられたアームと、前記アームの他端と一体に設けられたパイプと、前記アームと上部ケースの間に設けられ、カバー体に設けた開口部の内部を上下に回動する前方シャッターと、前記下部ケースに設けられ塵埃を吸引する吸込口と、前記吸込口の両端に設けられ前記下部ケースの長手方向に延びる塵埃通路と、長手方向に設けた第１、第２の回動軸と、前記塵埃通路の両端部近傍に設けられ前記第２の回動軸のまわりに回動する側方シャッターとを有し、前記ケースおよびパイプは前記吸込口側と前記吸引管側とを接続し前記第１の回動軸を中心に前記ケースに対して前後方向に傾動自在に取り付けられ、前記前方シャッターと側方シャッターは、前記パイプの傾動に応じて前記吸込口の開口部位を変更する開口部位変更機構を構成し、前記開口部位変更機構は、前記アームを掃除面へ近づく方向に傾動させた場合には、前記前方シャッターが前記吸込口の前方を開口し、前記パイプを前記ケースに対して立った状態になるように傾動させた場合には、前記側方シャッターが前記吸込口の側方を開口するものであり、棚の下等の低い隙間を掃除する場合だけでなく壁際を掃除する場合や家具間等の狭い隙間を掃除する場合にも、吸込口の前方及び側方のいずれかを開口することで、吸込口体を付け替えることなく掃除中に簡単な操作で掃除することができるとともに、ケースと掃除面の吸着が減り、操作力が軽減されて掃除作業性を向上することができ、比較的大きなごみも吸込口体をわざわざ掃除面から持ち上げなくても、吸込口の前方及び側方のいずれかに開口した開口部より吸引することができ、集塵性を向上できる。
【００１２】
【実施例】
以下、本発明の実施例について、図面を参照しながら説明する。
【００１３】
（実施例１）
本発明の第１の実施例を図１〜３を用いて説明する。なお従来例と同一部分については、同一符号を付してその説明を省略する。
【００１４】
吸込口体１は、上部ケース２と下部ケース３とでケースを形成しており、ケースの内部に吸込通路４を有し吸込通路４の掃除面方向には下部ケース３に塵埃を吸引する吸込口５を設けている。吸込口５の両端には下部ケース３の長手方向に延びる塵埃通路６を設けている。
【００１５】
下部ケース３はカバー体７と摺動体８とを形成するとともに、吸込口体１の後部には外面に第１の突起９を有するアーム１０を上部ケース２と下部ケース３によって上下に回動自在に挟持している。第１の回動軸１１は、吸込口体１の長手方向に設け、アーム１０を回動可能としている。カバー体７にはアーム１０の回動角度に係わらず第１の回動軸１１と当接する軸受部１２を設けている。パイプ１３は吸引管との接続方向とアーム１０との取付方向が９０度に曲げられた形状をし、アーム１０の下部に垂直方向にかつ１８０度回動自在に取り付けている。
【００１６】
ここで、アーム１０と上部ケース２との間には、カバー体７に設けた開口部１４の内部を上下に回動自在に、かつ内面に第２の突起１５を有する前方シャッター１６を設け、塵埃通路６の両端部近傍には、切り欠き部１７を有する第２の回動軸１８にカバー体７と摺動体８とで回動自在に挟持した側方シャッター１９を設けている。この側方シャッター１９は塵埃通路６の後端と当接すよう略Ｌ字状に形成し、後端に係止部２０を設けている。
【００１７】
また、アーム１０を回動可能とする第１の回動軸１１には、アーム１０が掃除面へ近づく方向に略最大回動時に側方シャッター１９の係止部２０と当接し側方シャッター１９を上方へ持ち上げる位置に突出部２１を設けている。さらに、下部ケース３の摺動体８における側方シャッター１９の後方に後方通路２２を設けている。
【００１８】
前方シャッター１６と側方シャッター１９はパイプ１３の傾動に応じて、塵埃通路６内に外気を導入する外気導入機構を構成しており、パイプ１３とケースとのなす角度が大きくなるように傾動させた場合に、塵埃通路６内に外気を導入するよう構成している。また、側方シャッター１９はパイプ１３をケースに対して立った状態になるように傾動させた場合に、塵埃通路６内に外気を導入するよう構成している。
【００１９】
そして、パイプ１３に吸引管を接続し、吸引管の他端に手元操作部を接続し、手元操作部の後方にホースを接続し、ホースの他端に電気掃除機本体を接続している。
【００２０】
上記構成において動作を説明する。通常の掃除では、吸込口体１は、手元操作部を握る人の前後に歩く姿勢の方向に対して、長手方向が直角になるようにして掃除を行う。一方、棚の下等の低い隙間、家具間等の狭い隙間、壁際などを掃除する場合には、手元操作部を左右にひねることで、吸込口体１が左右方向に略９０度旋回し、吸込口体１の長手方向と前後に歩く姿勢の方向が同方向となり部屋の壁際のごみを容易に吸いとることができる。また、吸込口体１の長手方向の幅の邪魔がなくなるため、家具間等の狭い隙間のごみも吸込口体１を付け替えることなく、簡単なひねり操作で掃除することができる。
【００２１】
さらに、手元操作部を操作してパイプ１３を介して、図１に示すように、パイプ１３とケースとのなす角度が大きくなるように、すなわち、アーム１０が掃除面へ近づく方向に傾動させると、アーム１０の第１の突起９と前方シャッター１６の第２の突起１５とが当接し、前方シャッター１６が上方向に回動することで下部ケース３の前方から塵埃通路６内へ外気を導入することができる。
【００２２】
このとき、同時に、第１の回動軸１１に設けた突出部２１が側方シャッター１９の係止部２０と当接し、側方シャッター１９を上方へ持ち上げて側方シャッター１９を開き、塵埃通路６と後方通路２２が連通され、後方からも塵埃通路６内へ外気が導入される。このため、ケースと掃除面の吸着を低減することができ、操作力を軽減できて使用性を向上することができる。
【００２３】
一方、手元操作部を操作してパイプ１３を介して、図２に示すように、パイプ１３をケースに対して立った状態になるように傾動させた場合には、アーム１０の先端２３と第２の回動軸１８の切り欠き部１７とが当接し、側方シャッター１９を上方向に回動させ、塵埃通路６と後方通路２９が連通され、後方から塵埃通路６内へ外気が導入され、ケースと掃除面の吸着を低減することができ、操作力を軽減できて使用性を向上することができる。
【００２４】
（実施例２）
以下本発明の第２の実施例を図４〜６を用いて説明する。なお上記実施例と同一部分については、同一符号を付してその説明を省略する。
【００２５】
図において、上部ケース２ａのカバー体７ａと摺動体８ａとで囲まれた空間に面する位置に吸気口２４を設け、カバー体７ａの上部ケース２ａと摺動体８ａとで囲まれた空間に面する位置に連結口２５を設け、下部ケース３ａの塵埃通路６に面する位置に排気口２６を設けている。上部ケース２ａには吸気口２４を覆うように第３の突起２７を有する開閉シャッター２８を回動自在に保持している。
【００２６】
開閉シャッター２８はパイプ１３の傾動に応じて、塵埃通路６内に外気を導入する外気導入機構を構成しており、パイプ１３をケースに対して立った状態になるように傾動させた場合に、塵埃通路６内に外気を導入するよう構成している。他の構成は上記実施例１と同じである。
【００２７】
上記構成において動作を説明する。棚の下等の低い隙間を掃除するため、手元操作部を操作してパイプ１３を介して、図４に示すように、パイプ１３とケースとのなす角度が大きくなるように、すなわち、アーム１０が掃除面へ近づく方向に傾動させると、第３の突起２７がアーム１０の先端より離れ、吸気口２４が閉じた状態となり、塵埃通路６へ外気は取り入れられない。
【００２８】
一方、手元操作部を操作して、図５に示すように、パイプ１３をケースに対して立った状態になるように傾動させた場合には、第３の突起２７がアーム１０の先端により押され、回動することで吸気口２４がオープン状態となり、電気掃除機本体の吸引力により吸気口２４から連結口２５および排気口２６を介して塵埃通路６へ外気が取り入れられる。
【００２９】
したがって、家具間等の狭い隙間を掃除する場合には、パイプ１３をケースに対して立った状態になるように傾動させることにより、吸気口２４から連結口２５および排気口２６を介して塵埃通路６へ外気が導入され、下部ケース３ａと掃除面の吸着を低減することができ、操作力を軽減できて掃除作業性を向上することができる。
【００３０】
（実施例３）
以下本発明の第３の実施例を図７を用いて説明する。なお上記実施例と同一部分については、同一符号を付してその説明を省略する。
【００３１】
図に示すように、上部ケース２ａのカバー体７ａと摺動体８ａとで囲まれた空間に面する位置に吸気口２４を設け、カバー体７ａの上部ケース２ａと摺動体８ａとで囲まれた空間に面する位置に連結口２５を設け、下部ケース３ａの塵埃通路６に面する位置に排気口２６を設けている。上部ケース２ａには吸気口２４を覆うように第３の突起２７を有する開閉シャッター２８を回動自在に保持している。
【００３２】
摺動体８ａの後端に吸気口２９を設け、塵埃通路６に面する位置に排気口３０を設けるとともに、吸気口２９を覆うように第４の突起３１を有する開閉シャッター３２を回動自在に保持している。
【００３３】
開閉シャッター２８、３２はパイプ１３の傾動に応じて、塵埃通路６内に外気を導入する外気導入機構を構成しており、開閉シャツたー３２はパイプ１３とケースとのなす角度が大きくなるように傾動させた場合に、塵埃通路６内に外気を導入するよう構成している。また、開閉シャッター２８はパイプ１３をケースに対して立った状態になるように傾動させた場合に、塵埃通路６内に外気を導入するよう構成している。他の構成は上記実施例１または２と同じである。
【００３４】
上記構成において動作を説明する。棚の下等の低い隙間を掃除するため、手元操作部を操作してパイプ１３を介して、図７に示すように、パイプ１３とケースとのなす角度が大きくなるように、すなわち、アーム１０が掃除面へ近づく方向に傾動させると、第４の突起３１がアーム１０の後端３３に押されて回動し、吸気口２９がオープン状態となり、電気掃除機本体の吸引力により吸気口２９から排気口３０を介して塵埃通路６へと外気が取り入れられる。
【００３５】
したがって、棚の下等の低い隙間を掃除する場合には、パイプ１３とケースとのなす角度が大きくなるように傾動させることにより、吸気口２９から排気口３０を介して塵埃通路６へ外気が導入され、下部ケース３ａと掃除面の吸着を低減することができ、操作力を軽減できて掃除作業性を向上することができる。
【００３６】
一方、手元操作部を操作して、パイプ１３をケースに対して立った状態になるように傾動させた場合には、第３の突起２７がアーム１０の先端により押され、回動することで吸気口２４がオープン状態となり、電気掃除機本体の吸引力により吸気口２４から連結口２５および排気口２６を介して塵埃通路６へ外気が取り入れられる。
【００３７】
したがって、家具間等の狭い隙間を掃除する場合には、パイプ１３をケースに対して立った状態になるように傾動させることにより、吸気口２４から連結口２５および排気口２６を介して塵埃通路６へ外気が導入され、下部ケース３ａと掃除面の吸着を低減することができ、操作力を軽減できて掃除作業性を向上することができる。
【００３８】
（実施例４）
以下本発明の第４の実施例を図８〜１３を用いて説明する。なお上記実施例と同一部分については、同一符号を付してその説明を省略する。
【００３９】
図に示すように、アーム１０と上部ケース２ｂとの間には、カバー体７ｂに設けた開口部１４の内部を上下に回動自在に、かつ内面に第２の突起１５を有する前方シャッター１６ｂを設け、塵埃通路６の両端部近傍には、切り欠き部１７を有する第２の回動軸１８にカバー体７ｂと摺動体８ｂとで回動自在に挟持した側方シャッター１９ｂを設けている。
【００４０】
前方シャッター１６ｂと側方シャッター１９ｂはパイプ１３の傾動に応じて、開口部位を変更する開口部位変更機構を構成しており、前方シャッター１６ｂは、パイプ１３とケースとのなす角度が大きくなるように傾動させた場合に、吸込口５の前方を開口するよう構成し、側方シャッター１９ｂは、パイプ１３をケースに対して立った状態になるように傾動させた場合に、吸込口５の側方を開口するよう構成している。他の構成は上記実施例１と同じである。
【００４１】
上記構成において動作を説明する。通常の掃除では、吸込口体１は、手元操作部を握る人の前後に歩く姿勢の方向に対して、長手方向が直角になるようにして掃除を行う。一方、棚の下等の低い隙間を掃除する場合には、手元操作部を左右にひねることで、吸込口体１が左右方向に略９０度旋回し、吸込口体１の長手方向と前後に歩く姿勢の方向が同方向となり部屋の壁際のごみを容易に吸い取ることができる。
【００４２】
さらに、手元操作部を操作してパイプ１３を介して、図８または図９に示すように、パイプ１３とケースとのなす角度が大きくなるように、すなわち、アーム１０が掃除面へ近づく方向に傾動させると、アーム１０の第１の突起９と前方シャッター１６ｂの第２の突起１５とが当接し、前方シャッター１６ｂが上方向に回動することで下部ケース３ｂの前方から吸込口５および塵埃通路６へ塵埃が吸引される吸引通路３４が形成される。
【００４３】
したがって、棚の下等の低い隙間を掃除する場合には、吸引通路３４が形成されることで、下部ケース３ｂと掃除面の吸着を低減することができ、操作力が軽減され、掃除作業性を向上することができる。また、比較的大きなごみも吸込口体１をわざわざ掃除面から持ち上げなくても、吸引通路３４を通して吸引することができ、集塵性を向上することができる。
【００４４】
一方、手元操作部を操作してパイプ１３を介して、図１０または１１に示すように、パ
イプ１３をケースに対して立った状態になるように傾動させた場合には、アーム１０の先端２３と第２の回動軸１８の切り欠き部１７とが当接し、側方シャッター１９ｂを上方向に回動させ、塵埃通路６の開口面積が増加する。
【００４５】
したがって、家具間等の狭い隙間を掃除する場合には、塵埃通路６の開口面積が増えることで、下部ケース３ｂと掃除面の吸着を低減することができ、操作力が軽減され、掃除作業性を向上することができる。また、比較的大きなごみも吸込口体１をわざわざ掃除面から持ち上げなくても広がった塵埃通路６を通して吸引することができ、集塵性を向上することができる。
【００４６】
なお、本実施例では、開口部位変更機構を構成する前方シャッター１６ｂは、パイプ１３とケースとのなす角度が大きくなるように傾動させた場合に、吸込口５の前方を開口するよう構成し、側方シャッター１９ｂは、パイプ１３をケースに対して立った状態になるように傾動させた場合に、吸込口５の側方を開口するよう構成しているが、上記実施例３に示すように構成することで、前方シャッターを、パイプをケースに対して立った状態になるように傾動させた場合に、吸込口の前方を開口するよう構成し、側方シャッターを、パイプとケースとのなす角度が大きくなるように傾動させた場合に、吸込口の側方を開口するよう構成してもよい。
【００４７】
また、開口部位変更機構は、パイプ１３の傾動に応じて、吸込口５の後方を開口するようにしてもよい。
【００４８】
【発明の効果】
以上のように本発明によれば、棚の下等の低い隙間を掃除する場合だけでなく壁際を掃除する場合や家具間等の狭い隙間を掃除する場合にも、ケースと掃除面の吸着が減り、操作力が軽減されて掃除作業性を向上することができ、比較的大きなごみも吸込口体をわざわざ掃除面から持ち上げなくても、吸込口の前方及び側方及び後方のいずれかに開口した開口部より吸引することができ、集塵性を向上できる。
【図面の簡単な説明】
【図１】  本発明の第１の実施例の電気掃除機の吸込口体のパイプ回動前の一部切欠した側面図
【図２】  同電気掃除機の吸込口体のパイプ回動後の一部切欠した側面図
【図３】  同電気掃除機の吸込口体の下面図
【図４】  本発明の第２の実施例の電気掃除機の吸込口体のパイプ回動前の側断面図
【図５】  同電気掃除機の吸込口体のパイプ回動後の側面図
【図６】  同電気掃除機の吸込口体の正面図
【図７】  本発明の第３の実施例の電気掃除機の吸込口体のパイプ回動前の側断面図
【図８】  本発明の第４の実施例の電気掃除機の吸込口体のパイプ回動前の図１３のＡ−Ａ断面図
【図９】  同吸込口体のパイプ回動前の図１３のＢ−Ｂ断面図
【図１０】  同吸込口体のパイプ回動後の図１３のＡ−Ａ断面図
【図１１】  同吸込口体のパイプ回動後の図１３のＢ−Ｂ断面図
【図１２】  同吸込口体の正面図
【図１３】  同吸込口体の下面図
【図１４】  従来の電気掃除機の斜視図
【図１５】  同電気掃除機の吸込口体のパイプ回動前の側断面図
【図１６】  同電気掃除機の吸込口体のパイプ回動後の側面図
【符号の説明】
１  吸込口体
２  上部ケース（ケース）
３  下部ケース（ケース）
５  吸込口
６  塵埃通路
１３  パイプ
１６  前方シャッター（外気導入機構）
１９  側方シャッター（外気導入機構）
【図１】
0004380001.tif 000002
【図２】
0004380001.tif 000003
【図３】
0004380001.tif 000004
【図４】
0004380001.tif 000005
【図５】
0004380001.tif 000006
【図６】
0004380001.tif 000007
【図７】
0004380001.tif 000008
【図８】
0004380001.tif 000009
【図９】
0004380001.tif 000010
【図１０】
0004380001.tif 000011
【図１１】
0004380001.tif 000012
【図１２】
0004380001.tif 000013
【図１３】
0004380001.tif 000014
【図１４】
0004380001.tif 000015
【図１５】
0004380001.tif 000016
【図１６】
0004380001.tif 000017